(57)【特許請求の範囲】
【請求項１】
平面方形状の底板と、前記底板の側端縁に沿って折曲自在に連結された４つの側板とからなり、前記各側板はそれぞれ対向する側板を対にして内側に折り畳むことができる組立式合成樹脂製容器であって、一方の対向する一対の側板の両端部に設けたロックレバーと他方の対向する一対の側板に装着したロック部材とからなるロック部を設けてなり、前記ロックレバーには、三辺を切り抜いて一辺を側板と一体に設けたプレートの先端に係合片を突設してなり、ロック部材は、操作部と操作部の先端に突設した係合突片とからなり、操作部の略中央部に指掛け用凹部を設け、操作部の両端部背面側に設けた凹部に係止用突起を形成するとともに、下面にバネを突設してなり、ロック部材が装着される側板には、前記係止用突起と係合する係止部を設けてなり、前記係止部と係止用突起とを係合することによりロック部材を一対の側板の上部に上下動可能に装着したことを特徴とする組立式合成樹脂製容器。
【請求項２】
ロック部材の係合突片は、上面をテーパ面に形成したことを特徴とする請求項１に記載の組立式合成樹脂製容器。
【請求項３】
ロックレバーの係合片は、下面をテーパ面に形成したことを特徴とする請求項１に記載の組立式合成樹脂製容器。
【発明の詳細な説明】
【技術分野】
【０００１】
この発明は、底板に折曲部又は回動軸を介して側板が配設されており、折り畳み状態から簡単に組み立てられ、また簡単に折り畳むことができる組立自在箱に係り、詳しくは方形状の底板の各側端縁に折曲部又は回動軸を介して連設した側板を、底板に向かって内方に折り畳み、コンパクトに折り畳んで保管及び運搬することができる組立自在な合成樹脂製容器に関するものである。
【背景技術】
【０００２】
従来、野菜、果物等農産物や各種の工業製品を輸送するために組立式の合成樹脂製容器が使用されている。合成樹脂製容器は、耐久性に優れており繰り返して使用することができるとともに、近年提起されている省資源の点からもダンボール箱に代わって多用されている。このような組立式合成樹脂製容器として次のような容器がある。
【０００３】
例えば、特開２００４−７５０７９号公報に開示された容器は、一方の対向する側壁の外側面に、略中央部に操作部及びスライド係合突部を備えると共に、両端部に係合突起を設けた係合部材を添設し、他方の対向する側壁の両端部には前記係合突起と係合してない方への回動を規制するための係合部を設け、係合部材の操作部を上動又は下動させることによって、係合突起と係合部との係合状態を解除するように構成したものである。
【０００４】
即ち、上下動可能に添設した係合部材の両端部の係合突起を、側壁に一体に形成した係合部にバネ作用によって係合させるようにしたものである。従って、側壁を組み立てると同時にロック状態となり、固定した係合部に対して係合突起を下動させることによってロック状態を解除するようにしたものである。
【０００５】
また、組立構造の容器としては、特開２００３−４０２６３号公報に開示された容器がある。即ち、第一側壁の外側面には略中央部に操作部を備えるとともに両端部に係合突起が設けられた係合部材を添設し、第二側壁の両端部には、前記係合突起と係合して第一側壁の内方への回動を規制する係合部を設け、前記係合部材の操作部を上動または下動させることにより、係合突起と係合部との係合状態を解除するようにした組立式構造の容器である。
【０００６】
このような容器は、側壁を起立させて組み立てると同時に係合状態となり、組立作業を容易に行うことができる。また、不使用時には、係合部材の操作部を上動又は下動させるだけで係合状態が解除されるから、折り畳み作業を容易に行うことができる。
【特許文献１】特開２００４−７５０７９号公報（図１及び図９）
【特許文献２】特開２００３−４０２６３号公報（図１〜図４）
【発明の開示】
【発明が解決しようとする課題】
【０００７】
上記公報記載の容器はいずれも、一方の対向する側壁の上部に添設した係合部材は、下面に突設したバネ（付勢板）によって上方に付勢されており、このバネ（付勢板）に抗して下動させることによってロック状態を解除する構成であるから、ロック状態を維持するためにはある程度のバネの強さを必要とする。ロック解除操作は、係合部材をバネ（付勢板）の付勢力に抗して押し下げるために、指に強い力を加えなければならず操作が困難である。
【０００８】
この発明はかかる現況に鑑みてなされたもので、スムーズな操作ができるロック構造として作業性に優れた組立式合成樹脂製容器を提供せんとするものである。
【課題を解決するための手段】
【０００９】
この発明は上記目的を達成するために次のような構成とした。即ち、この発明に係る組立式合成樹脂製容器は、平面方形状の底板と、前記底板の側端縁に沿って折曲自在に連結された４つの側板とからなり、前記各側板はそれぞれ対向する側板を対にして内側に折り畳むことができる組立式合成樹脂製容器であって、
一方の対向する一対の側板の両端部に設けたロックレバーと他方の対向する一対の側板に装着したロック部材とからなるロック部を設けてなり、前記ロックレバーには、三辺を切り抜いて一辺を側板と一体に設けたプレートの先端に係合片を突設してなり、ロック部材は、操作部と操作部の先端に突設した係合突片とからなり、操作部の略中央部に指掛け用凹部を設け、操作部の両端部背面側に設けた凹部に係止用突起を形成するとともに、下面にバネを突設してなり、
ロック部材が装着される側板には、前記係止用突起と係合する係止部を設けてなり、
前記係止部と係止用突起とを係合することによりロック部材を一対の側板の上部に上下動可能に装着したことを特徴とする。
【００１０】
また、ロック部材の係合突片は、上面をテーパ面に形成することが好ましい。上面をテーパ面に形成することによってロックレバーの係止片との当接が容易になるとともに、スムーズな摺動が可能になる。ロックレバーの係合片の下面をテーパ面に形成することによって同様の効果が得られる。
【発明の効果】
【００１１】
この発明は、上記説明から明らかなように、ロックレバーと側板に装着したロック部材ともバネ作用を有する構造としたので、組み立てるときの抵抗が小さく容易に組み立てることができるとともに、確実にロックさせることができる。また、ロック部材の下面に突設したバネ（付勢板）も付勢力の小さいもので足りるから、ロックを解除する際に弱い力を加えるだけで下動させることができ、折り畳み作業が容易である。
【発明を実施するための最良の形態】
【００１２】
この発明に係る組立式合成樹脂製容器を、図示する実施形態に基づいて詳細に説明する。組立式合成樹脂製容器１０は、方形状の底板１１と前記底板１１の端縁部に沿って配設された４つの側板１３〜１６からなる。前記４つの側板のうち、側板１３，１４は対向する短辺側の側板を形成し、側板１５，１６は、対向する長辺側の側板を形成している。前記側板１３，１４及び側板１５，１６は、底板１１の端縁部に設けられた回動軸１８，１９によってそれぞれ回動自在に軸着している。
【００１３】
また、この実施形態では、前記短辺側の側板１３，１４を先に内側に折り畳み、長辺側の側板１５，１６を後から折り畳まれるが、後から折り畳む側板１５，１６をほぼ水平に折り畳むことができるように、後から折り畳む側板の回動軸の位置を、先に折り畳まれる側板の回動軸よりも高い位置に配設されている。即ち、後から折り畳む側板１５，１６の回動軸は、高さ調整部２０の上に配設されている。短辺側の側板１３，１４の上部略中央には容器１０を持ち運ぶ際に指を挿入する取っ手孔２１が設けられている。
【００１４】
後から折り畳まれる長辺側の側板１５，１６の両端部には、図２及び図３に示すように、側板に対して直交するように内側に突出した突出部１５ａ，１６ａが設けられている。この突出部１５ａ，１６ａの内面に短辺側の側板１３，１４の両端部外面が接合することによって、側板１３，１４が外側へ回動するのを防止するとともに、後述するように、側板１３，１４が内側に倒れるのを防止するようにロック部が設けられている。従って、前記突出部１５ａ，１６ａによって組立状態が確実に保持される。
【００１５】
前記側板１３，１４及び側板１５，１６は、底板１１に対して回動可能に軸着されており、まず、前記側板１３，１４を内側に向かって底板１１の上に折り畳むことができる。図示する実施形態では、まず、短辺側の側板１３，１４を折り畳んだ後、長辺側の側板１５，１６を折り畳むように構成されており、最終の折り畳み状態は、全体がほぼ水平な板状態となる（図示省略）。
【００１６】
前記構成の容器１０は、折り畳み状態から長辺側の側板１５，１６を回動軸１９を支点にして起立させ、次いで、短辺側の側板１３，１４を回動軸１８を支点にして起立させれば、それぞれ接合する面に設けたロック部２３によってロックされ、組立状態とすることができる。
【００１７】
前記ロック部２３は、一対の長辺側の側板１５，１６の両側端部に設けられたロックレバー２５，２５と、短辺側の側板１３，１４に装着したロック部材２４とによって構成されている。
【００１８】
前記ロックレバー２５，２５は、図２及び図４に示すように、長辺側の側板１５，１６に三辺を略コ字状に切り抜いて一辺を側板と一体に連結してなるプレート３０の中央部にさらに長方形状に切り抜いて透孔３１を形成し、前記プレート３０の先端部には、内側に突出した係合片３３を設けてなる。即ち、側板１５、１６の側壁の一部をなすプレート３０の先端に設けた係合片３３は、短辺側の側板に装着されたロック部材２４の先端部の係合突片２７と係合するように形成されている。
【００１９】
前記係合片３３は、図４に示すように、断面が略三角形状に形成されていて、上面３３ａがプレート３０の上面と略同一面に水平面に形成さており、下面３３ｂがテーパ面に形成されており、先端面３３ｃが略垂直面に形成されている。前記下面３３ｂは先端面３３ｃ側が下向きとなるテーパ面に形成されている。なお、後述するように係合突片２７の上面２７ａをテーパ面に形成した場合は、係合片３３の下面３３ｂはテーパ面ではなく水平面又は円弧状面としてもよい。
【００２０】
前記プレート３０の先端部に係合片３３を設けてなるロックレバー２５，２５は、外周縁を切り抜いて形成した略同一形状の切抜孔３５内に配設されている。また、プレート３０には、側板１５，１６と連結している基部３７側に透孔３１を設けてなるから、プレート３０の基部３７は、切抜孔３５内において上下方向に撓むことが可能であってバネ作用を有する。
【００２１】
前記突出部１５ａ，１６ａの上部内面には、凹部３９が形成されている。前記凹部３９は、側板１３，１４の両側端面に設けた係合部４０の逃がし代となるものである。従って、凹部３９は、適宜省略することが可能である。
【００２２】
前記係合部４０は、図２に示すように、側板１３，１４の両側端の上部に切欠部４１，４１を設けるとともに、外面側に切欠を設けて側板１３，１４の幅寸法よりも小さな幅寸法とすることによって形成されている。係合部４０，４０の幅寸法を側板１３，１４の幅寸法より小さくしたのは、係合部４０を前記凹部３９に嵌合させたとき、側板１３，１４の外面と突出部１５ａ，１６ａの外面とが同一になるように厚さ寸法を調整したものである。
【００２３】
次に、短辺側の側板１３，１４に装着したロック部材２４について説明する。ロック部材２４は、図３及び図５に示すように、操作部５０と操作部５０の先端に突設した係合突片２７とからなり係合突片２７が、前記ロックレバーの係合片３３と係合する。ロック部材２４は、操作部５０の両端部先端に上記係合片３３に係合する係合突片２７を水平方向に突設してなり、下面には付勢力を与えるバネ（付勢板）５１，５１を設けてなる。前記バネ（付勢板）５１，５１は、係止用突起５７の下方において操作部５０の下面に斜めに突設することによってバネ作用を有するように形成されている。
【００２４】
なお、バネ（付勢板）５１，５１は、図示する形態に限定されるものではなく、例えば、ハ字上に形成するなど操作部５０を上方に付勢する構造であればよい。前記操作部５０は、略中央部外面を凹ませて指掛け用凹部５３を形成するとともに、両端部側の背面に設けた凹部５５に係止用突起５７を突設してなる。
【００２５】
前記係合突片２７の上面２７ａは、操作部５０の前面（係止用突起５７を突設した面とは反対側の面）に向かって傾斜したテーパ面に形成されている。このように係合突片２７の上面２７ａをテーパ面に形成することによって、ロックレバー２５の係合片３３の下面と当接し易くなるとともに、スムーズに摺動するから側板１３，１４を弱い力でロックさせることができる。なお、前述したように係合片３３の下面３３ｂをテーパ面に形成した場合は、係合突片２７の上面２７ａはテーパ面ではなく水平面又は円弧状面としてもよい。
【００２６】
前記係止用突起５７、５７は、図３及び図５に示すように、凹部５５に矢尻状突起を平行に突設することによって形成されている。前記係止用突起５７、５７は、短辺側の側板１３、１４の対応する位置に設けた係止部５９に係止する。前記係止部５９は、短辺側の側板１３、１４の上部に長孔６０を設け、長孔６０の両側に前記矢尻状突起の受け部６１を形成することによって構成されている。
【００２７】
ロック部材２４を短辺側の側板１３、１４の上部に装着するには、図２に示すように、前記長孔６０に係止用突起５７を挿入し、先端の矢尻状突起の受け部６１に係止させればよい。係止用突起５７は、長孔６０内において上下にスライドすると共に、矢尻状突起の受け部６１に係止することによって抜けることがない。
【００２８】
なお、短辺側の側板１３、１４には、前記係止部５９、５９と係止用突起５７、５７との関係が逆になるように、側板１３、１４側に係止用突起５７、５７を突設し、ロック部材２４側に係止部５９、５９を設ける構成としてもよい。また、短辺側の側板１３、１４とロック部材２４には、係止部５９、５９と係止用突起５７、５７の両方を設けて、それぞれ対応する位置で互いに係止させる構成としてもよい。
【００２９】
ロック部材２４と側板１３，１４とは、上記のように一方側に設けた長孔６０に他方側に設けた係止用突起５７を嵌入する構成としたから、短辺側の側板１３、１４の外側から操作部５０を突き合わせてそのまま押圧すると、操作部５０の係止用突起５７，５７が短辺側の側板１３、１４の係止部５９に係合する（図２参照）。
【００３０】
この発明の上記実施形態では、上記構成のロック部材２４を側板１３，１４の凹部６３に装着するには、ロック部材２４を凹部６３に押し当ててそのまま押圧すればよいから、ワンタッチで装着することができる。したがって、ロック部材２４の損傷や変形を防止することができるとともに、機械による自動組立が可能である。操作部５０と短辺側の側板１３、１４とは、上記の通り、係止部５９と係止用突起５７との係合によって外れることがなく、上下方向にスムーズな摺動が可能である。
【００３１】
次に、図２、図３及び図６を参照しながらロック部２３の作用について説明する。容器を組み立てる場合は、まず、対向する長辺側の側板１５，１６を起立させ、次いで、短辺側の側板１３，１４を起立させる。側板１３，１４の上端部（ロック部材２４の装着側）を持って引き上げると、下端の回動軸１８を中心に回動し側板１５，１６の内面に円弧を描きながら立ち上げられる（図２参照）。
【００３２】
側板１３，１４の上端が側板１５，１６の突出部１５ａ，１６ａに接近すると、操作部５０の先端に突設した係合突片２７がロックレバー２５の係合片３３の下面に当接する。さらに、側板１３，１４を回動させると、係合突片２７と係合片３３とは互いのバネ作用によって、係合突片２７が係合片３３を押し上げ、係合片３３は係合突片２７を押し下げることになる。このとき、係合片３３の下面３３ｂ先端面３３ｃに向かって下向きのテーパ面に形成されているので、互いのバネ作用によって弱い力でも摺動させることができる。
【００３３】
そして、係合突片２７が、係合片３３の下面を摺動して反対側の先端面３３ｃに位置すると、ロック部材２４とロックレバー２５のバネ作用によって係合片３３が下げられ、反対に係合突片２７が上げられるから、係合突片２７と係合片３３とが係合する。
【００３４】
また、側板１３，１４の両端部の係合部４０が、突出部１５ａ，１６ａの内面の凹部３９に嵌入し、側板１３，１４の外面と突出部１５ａ，１６ａの外面とは同一面となる。このようにして、長辺側の側板１５，１６を起立させ、次いで、短辺側の側板１３，１４を起立させるだけで、簡単にワンタッチで容器１０を組み立てることができる。
【００３５】
次に、ロック状態を解除して折り畳む場合には、係合突片２７を押し下げて係合片３３との係合状態を解除すればよい。即ち、係合突片２７と係合片３３との係合状態を解除するには、ロック部材２４の指掛け用凹部５３に指を入れてバネ（付勢板）５１に抗して下方に押し下げれば、同時に先端に突設した係合突片２７も押し下げられるので、係合突片２７の上面が係合片３３の下面よりも下方に押し下げられてロック状態が解除されることになる。
【００３６】
係合突片２７と係合片３３との係合状態が解除されれば、組み立てるときとは反対に側板１３，１４を回動しながら内側に倒すことが可能となる。従って、ロック部材２４を押し下げたまま側板１３，１４を内側に倒し、側板１３，１４を倒す途中でロック部材２４の指掛け用凹部５３から指を離して押し下げを止めれば、バネ（付勢板）５１の付勢力によってロック部材２４は元の位置に復帰する。その後、側板１５，１６を内側に倒せば簡単に容器１０を折り畳むことができる。
【図面の簡単な説明】
【００３７】
【図１】組立状態の容器を示す短辺側側板の左半分が正面図、右半分が長辺側側板の一部を省略した断面図である。
【図２】短辺側の側板と長辺側の側板の組み立て状態を説明するための要部斜視図である。
【図３】ロック状態を説明するための長辺側側板の係合片とロック部材の係合突片との係合を示す要部斜視図である。
【図４】長辺側側板に設けたロックレバーを示す要部断面斜視図である。
【図５】ロック部材の半分を示す斜視図である。
【図６】ロック部の動作を示し、図６（ａ）は、短辺側の側板が立ち上がる状態の説明用断面図、図６（ｂ）は、係合突片と係合片との当接状態を示す説明用断面図であり、図６（ｃ）は、係合突片が係合片の先端面に回って係合した状態の説明用断面図、図６（ｄ）は、係合突片を押し下げて係合片３３とのロック状態を解除した説明用断面である。
【符号の説明】
【００３８】
１０：組立式合成樹脂製容器
１１：底板  
１３、１４：短辺側の側板  
１５、１６：長辺側の側板
１５ａ，１６ａ：突出部  
２１：取っ手孔
２３：ロック部  
２４：ロック部材  
２５：ロックレバー
２７：係合突片  
３０：プレート  
３１：透孔
３３：係合片  
３３ａ：上面
３３ｂ：下面
３３ｃ：先端面
３４：基部  
３５：切抜孔  
３７：基部
３９：凹部  
４０：係合部
５０：操作部  
５１：バネ（付勢板）
５３：指掛け用凹部
５５：凹部  
５７：係止用突起  
５９：係止部
６０：長孔
６１：受け部
６３：凹部
【図１】
0004457392.tif 000002
【図２】
0004457392.tif 000003
【図３】
0004457392.tif 000004
【図４】
0004457392.tif 000005
【図５】
0004457392.tif 000006
【図６】
0004457392.tif 000007